(57)【要約】【課題】      竿管内に収納した穂先竿や中節竿を損傷することなく取り出し易い釣竿を提供することである。【解決手段】  元竿１の竿尻１ａに尻栓Ａの竿尻リング２が螺合され、竿尻リング２に竿尻キャップ３が取り付けられて竿尻リング２の底板２ｄの中心より偏芯した下側に挿脱孔２ｊが穿設されている。  竿尻キャップ３は後方に突出した曲部を有する本体３ａの中心より偏芯した下側に挿脱孔３ｅが穿設されて竿尻リング２の挿脱孔２ｊと挿脱孔３ｅは連通位置に穿設されている。  竿尻リング２の内側に閉塞部材４とゴム等の緩衝部材５が設けられ、閉塞部材４の円板４ａの中心より偏芯した位置に挿脱孔４ｅが穿設されている。  挿脱孔２ｊと挿脱孔３ｅと挿脱孔４ｅの位置が一致した時穂先竿１６を引き出すことができる。【選択図】        図４
2005110577.tif 000002
【特許請求の範囲】
【請求項１】
竿管の竿尻に竿尻リングとその後端に取り付けた竿尻キャップからなる着脱式の尻栓を取り付け、該竿尻リングの底面に前記竿管内に収納した中節竿の一部を挿脱可能な挿脱孔を設けたことを特徴とする釣竿。
【請求項２】
前記竿尻リングの底面に前記竿管内に収納した中節竿のうちの挿脱竿の後端外径より大きな挿脱孔を設けると共に該挿脱孔径は挿脱次節竿の後端外径より小さくしたことを特徴とする請求項１記載の釣竿。
【請求項３】
前記竿尻リングの底面に前記竿管内に収納した中節竿の一部を挿脱可能な挿脱孔を設け、該挿脱孔を閉塞する閉塞部材を設けたことを特徴とする請求項１、２記載の釣竿。
【請求項４】
前記閉塞部材は前記竿尻リングの内側に設け外部より閉塞操作可能に設けたことを特徴とする請求項３記載の釣竿。
【請求項５】
前記閉塞部材は前記竿尻リングの外側に設けて閉塞操作可能に設けたことを特徴とする請求項３記載の釣竿。
【請求項６】
前記閉塞部材を前記竿尻キャップとしたことを特徴とする請求項３記載の釣竿。
【請求項７】
前記竿尻リングの底面に前記竿管内に収納した中節竿の一部を挿脱可能な内径の異なる挿脱孔を複数設けたことを特徴とする請求項１記載の釣竿。
【請求項８】
前記閉塞部材に前記竿管内に収納した中節竿を挿脱可能な内径の異なる挿脱孔を複数設けたことを特徴とする請求項３記載の釣竿。
【発明の詳細な説明】
【技術分野】
【０００１】
本発明は、竿管内に収納した穂先竿や中節竿の挿脱を容易にした釣竿に関する。
【背景技術】
【０００２】
従来振り出し式の釣竿や竿管内に穂先竿や中節竿を収納する釣竿では、竿尻に着脱式の尻栓を取り付け、竿管内に収納した穂先竿や中節竿を交換したり取り出す時は尻栓を取り外して取り出していた。
尻栓を取り外して竿管内に収納した穂先竿や中節竿を取り出す時、竿管内に収納した竿全部が滑り出して折損したり損傷させたりして釣を継続することが出来なくなる等の不具合が起こることがある。
従来尻栓には竿管内に溜る水を排出するために排出孔を設けると共に排出孔から水や砂等の侵入を防止するために閉塞する例が提案されている。（例えば特許文献１・２参照）
【特許文献１】実公昭５８−１１８９号公報
【特許文献２】実開平３−５４１７１号公報
【発明の開示】
【発明が解決しようとする課題】
【０００３】
解決しようとする課題は、本願では竿管内に収納した穂先竿や中節竿を取り出し易くするもので、特許文献１では尻栓より内側に開閉自在の弁体を設けて水や砂等の侵入を防止している。
特許文献２では尻栓に開閉自在の開閉部材を設けて水や砂等の侵入を防止している。
特許文献１・２では孔は竿管内に溜る水を排出するための排出孔であるから、穂先竿や中節竿を取り出すための構造的な配慮が成されていない。
【０００４】
本発明の目的は前記欠点に鑑み、竿管内に収納した穂先竿や中節竿を損傷することなく取り出し易い釣竿を提供することである。
【課題を解決するための手段】
【０００５】
請求項１に係わる本発明は、竿管の竿尻に竿尻リングとその後端に取り付けた竿尻キャップからなる着脱式の尻栓を取り付け、該竿尻リングの底面に前記竿管内に収納した中節竿の一部を挿脱可能な挿脱孔を設けたことを要旨とするものである。
請求項２に係わる本発明は、前記竿尻リングの底面に前記竿管内に収納した中節竿のうちの挿脱竿の後端外径より大きな挿脱孔を設けると共に該挿脱孔径は挿脱次節竿の後端外径より小さくしたことを要旨とするものである。
請求項３に係わる本発明は、前記竿尻リングの底面に前記竿管内に収納した中節竿の一部を挿脱可能な挿脱孔を設け、該挿脱孔を閉塞する閉塞部材を設けたことを要旨とするものである。
【０００６】
請求項４に係わる本発明は、前記閉塞部材は前記竿尻リングの内側に設け外部より閉塞操作可能に設けたことを要旨とするものである。
請求項５に係わる本発明は、前記閉塞部材は前記竿尻リングの外側に設けて閉塞操作可能に設けたことを要旨とするものである。
請求項６に係わる本発明は、前記閉塞部材を前記竿尻キャップとしたことを要旨とするものである。
請求項７に係わる本発明は、前記竿尻リングの底面に前記竿管内に収納した中節竿の一部を挿脱可能な内径の異なる挿脱孔を複数設けたことを要旨とするものである。
請求項８に係わる本発明は、前記閉塞部材に前記竿管内に収納した中節竿を挿脱可能な内径の異なる挿脱孔を複数設けたことを要旨とするものである。
【発明の効果】
【０００７】
請求項１の本発明によって、尻栓を元竿の竿尻に装着したままで穂先竿の交換ができるので、他の中節竿が滑りでることがないから穂先竿や中節竿を折損したり損傷させたりすることがない。
請求項２の本発明によって、挿脱孔の内径によって挿脱できる次節竿を特定できる。
請求項３・４・５・６の本発明によって、挿脱孔を閉塞部材で閉塞することで中節竿が滑りでることがない。
請求項７・８の本発明によって、挿脱する中節竿を選択することができる。
【発明を実施するための最良の形態】
【０００８】
元竿１の竿尻１ａに尻栓Ａの竿尻リング２が螺合されている。
尻栓Ａは竿尻リング２と竿尻リング２に取り付けられた弾性を有する竿尻キャップ３で構成されている。
竿尻リング２は底板２ｄの中心に透孔２ｉが穿設され、中心より偏芯した下側に挿脱孔２ｊが穿設されている。
竿尻キャップ３は後方に突出した曲部を有する本体３ａの中心より偏芯した一側に挿脱孔３ｅが穿設されている。
挿脱孔２ｊと竿尻キャップ３の挿脱孔３ｅは連通位置に穿設されている。
竿尻リング２の内側に閉塞部材４とゴム等の緩衝部材５が設けられ、閉塞部材４の円板４ａの中心より偏芯した位置に挿脱孔４ｅが穿設されている。
挿脱孔２ｊと挿脱孔３ｅと挿脱孔４ｅの位置が一致した時中節竿の一部や穂先竿１６を引き出すことができる。
【実施例１】
【０００９】
以下、本発明を実施例で図面に基づき説明すると、図１から図４は第１実施例で、図１は釣竿の側面図、図２は竿尻の拡大側面図、図３は竿尻の拡大断面側面図、図４は穂先竿が一部引き出された竿尻の拡大断面側面図である。
【００１０】
釣竿は、元竿１の前側に中節竿１０、１１、１２、１３、１４、１５と穂先竿１６が順次継合される振り出し式の鮎釣用の竿で、元竿１の竿尻１ａの内周にネジ部１ｂが形成され、竿尻１ａに尻栓Ａの竿尻リング２が螺合されている。
尻栓Ａは竿尻リング２と竿尻リング２に取り付けられた弾性を有する竿尻キャップ３で構成されている。
竿尻リング２は金属や合成樹脂で筒状の基体２ａの前側に筒部２ｂが形成され、基体２ａの後側に筒部２ｃと底板２ｄが形成されて底板２ｄの前側は凹部２ｅに形成されている。
基体２ａの外周は凹凸が形成されている。
前側の筒部２ｂの外周には周溝２ｆとネジ部２ｇが形成されている。
後側に筒部２ｃの外周には周溝２ｈが形成されている。
底板２ｄの中心には透孔２ｉが穿設され、中心より偏芯した下側に挿脱孔２ｊが穿設されている。
【００１１】
竿尻キャップ３は弾性を有するゴムや合成樹脂等で形成されている。
竿尻キャップ３は後方に突出した曲部を有する本体３ａと前側に突出した突出部３ｂと突出部の内側に突出した鍔部３ｃで形成されている。
本体３ａの中心には透孔３ｄが穿設され、中心の裏面に凹部が、中心より偏芯した下側に挿脱孔３ｅが穿設されている。
竿尻リング２の挿脱孔２ｊと竿尻キャップ３の挿脱孔３ｅは連通位置に穿設されている。
竿尻リング２の内側に閉塞部材４とゴム等の緩衝部材５が設けられている。
【００１２】
閉塞部材４は円板４ａと円板４ａの後側に中径軸４ｂと中径軸４ｂより小径の操作軸４ｃと操作軸４ｃの後面に縦溝４ｄが形成されている。
円板４ａの中心より偏芯した位置に挿脱孔４ｅが穿設されている。
円板４ａの前側にはゴム等の緩衝部材５が貼着され、挿脱孔４ｅ位置の緩衝部材５に挿脱孔５ａが穿設されている。
尻栓Ａの竿尻リング２は周溝２ｆにＯリング１７を装着してネジ部２ｇがネジ部１ｂに螺合されている。
閉塞部材４は操作軸４ｃが透孔２ｉと透孔３ｄに挿入されてＥリング１８で抜け止めされている。
図３、図４では尻栓Ａの竿尻リング２の挿脱孔２ｊと竿尻キャップ３の挿脱孔３ｅと閉塞部材４の挿脱孔４ｅは穂先竿１６の後端外径より大きく、次節竿の中節竿１５の後端外径より小径に形成されて穂先竿１６を挿脱竿とする穂先竿交換用に形成されている。
他の次節竿の中節竿１３の後端外径より小径に形成して挿脱竿を中節竿１４、１５と穂先竿１６としてもよい。
【００１３】
釣竿が釣り場に携帯される時は、尻栓Ａの竿尻リング２の挿脱孔２ｊと竿尻キャップ３の挿脱孔３ｅは閉塞部材４で閉塞されるように閉塞部材４の挿脱孔４ｅは他の位置にあるように回動されている。
挿脱竿の穂先竿１６を交換する時は、閉塞部材４の操作軸４ｃが回動されて尻栓Ａの竿尻リング２の挿脱孔２ｊと竿尻キャップ３の挿脱孔３ｅと挿脱孔４ｅの孔位置が一致されて穂先竿１６のみが挿脱される。
穂先竿１６は硬い穂先や軟らかい穂先、剛性バランスの異なるチューブラ穂先やソリッド穂先を釣り場の状況に合わせて交換する。
【００１４】
前記のように釣竿が構成されると、尻栓Ａを元竿１の竿尻１ａに装着したままで穂先竿の交換ができるので、他の中節竿が滑りでることがないから穂先竿や中節竿を折損したり損傷させたりすることがない。
【実施例２】
【００１５】
図５、図６は第２実施例で、図５は竿尻の拡大断面側面図、図６は穂先竿が一部引き出された竿尻の拡大断面側面図である。
【００１６】
第２実施例の尻栓Ａは、閉塞部材６が竿尻キャップ３に取り付けられて後側面に露出されている。
尻栓Ａの竿尻リング２の底板２ｄの中心より偏芯した下側に挿脱孔２ｊが穿設されている。
底板２ｄの前側にゴム等の緩衝部材５が貼着され、挿脱孔２ｊ位置の緩衝部材５に挿脱孔５ａが穿設されている。
尻栓Ａの竿尻キャップ３は外周部３ｆと前側に突出した突出部３ｂと突出部の内側に突出した鍔部３ｃで形成されている。
外周部３ｆの内側の前側に凹部３ｇが形成されている。
凹部３ｇに閉塞部材６の円板部６ａが回動自在に挿入されている。
閉塞部材６は円板部６ａの中心後面に操作軸６ｂが形成され、中心より偏芯した一側に挿脱孔６ｃが穿設されている。
他の構成は前記第１実施例と略同一である。
【実施例３】
【００１７】
図７は第３実施例で、図７（ａ）は尻栓の竿尻リングの後面図、図７（ｂ）は尻栓の竿尻リングと竿尻キャップと閉塞部材の後面図である。
【００１８】
第３実施例では、尻栓Ａの竿尻リング２の底板２ｄには中心より偏芯した下側に一つの挿脱孔２ｊが穿設され、閉塞部材６に内径の異なる複数の挿脱孔６ｃ、６ｄ、６ｅ、６ｆが穿設され、最小径の挿脱孔６ｆは穂先竿の挿脱用である。
閉塞部材６の後面中心にはツマミ６ｇが形成されている。
他の構成は前記第２実施例と略同一である。
【００１９】
第３実施例のように閉塞部材６に内径の異なる複数の挿脱孔６ｃ、６ｄ、６ｅ、６ｆが形成されると、挿脱孔を選択することで挿脱される中節竿より太い次節竿が滑り出すことが防止される。
【実施例４】
【００２０】
図８は第４実施例で、図８（ａ）は尻栓の竿尻リングの後面図、図８（ｂ）は尻栓の竿尻リングと竿尻キャップと閉塞部材の後面図である。
【００２１】
第４実施例では、尻栓Ａの竿尻リング２の底板２ｄには内径の異なる複数の挿脱孔２ｊ、２ｋ、２ｍ、２ｎが穿設され、最小径の挿脱孔２ｎは穂先竿の挿脱用である。
閉塞部材６に挿脱孔６ｃが穿設されている。
他の構成は前記第２実施例と略同一である。
【００２２】
第４実施例のように尻栓Ａの竿尻リング２の底板２ｄに内径の異なる複数の挿脱孔２ｊ、２ｋ、２ｍ、２ｎが穿設されて挿脱孔を選択することで挿脱される中節竿より太い次節竿が滑り出すことが防止される。
【実施例５】
【００２３】
図９は第５実施例で、図９（ａ）は尻栓の竿尻リングの後面図、図９（ｂ）は尻栓の竿尻リングと竿尻キャップと閉塞部材の後面図である。
【００２４】
第５実施例では、尻栓Ａの竿尻リング２の底板２ｄには内径の異なる複数の挿脱孔２ｊ、２ｋ、２ｍ、２ｎが穿設され、最小径の挿脱孔２ｎは穂先竿の挿脱用である。
閉塞部材６に幅の狭い扇形の挿脱孔６ｈが穿設されている。
他の構成は前記第２実施例と略同一である。
【００２５】
第５実施例では、閉塞部材６の回動角度を調整して扇形の挿脱孔６ｈを挿脱孔２ｊ、２ｋ、２ｍ、２ｎの一つに選択的に合わせることによって選択した中節竿を引き出すことができる。
【実施例６】
【００２６】
図１０は第６実施例で、図１０（ａ）は尻栓の竿尻リングの後面図、図１０（ｂ）は尻栓の竿尻リングと竿尻キャップと閉塞部材の後面図である。
【００２７】
第６実施例では、尻栓Ａの竿尻リング２の底板２ｄには中心より偏芯した一側に挿脱孔２ｊが穿設されている。
竿尻キャップ３の後方に突出した曲部を有する本体３ａに横長の挿脱孔３ｈが穿設されて円形の閉塞部材７が横長の挿脱孔３ｈの中を摺動自在に嵌め込まれている。
他の構成は前記第２実施例と略同一である。
【００２８】
第６実施例では、閉塞部材７の摺動量によって挿脱孔２ｊの開口量が調整される。
【実施例７】
【００２９】
図１１は第７実施例で、図１１は竿尻の拡大断面側面図である。
【００３０】
第７実施例では、尻栓Ａの竿尻キャップ３が閉塞部材を兼用している。
尻栓Ａの竿尻リング２の底板２ｄの中心より偏芯した下側に挿脱孔２ｊが穿設されている。
底板２ｄの前側にゴム等の緩衝部材５が貼着され、挿脱孔２ｊ位置の緩衝部材５に挿脱孔５ａが穿設されている。
竿尻キャップ３は後方に突出した曲部を有する本体３ａと前側に突出した突出部３ｂと突出部の内側に突出した鍔部３ｃで形成されている。
突出部３ｂの前側には指の爪やコインが挿入可能な切欠き３ｉが形成されている。
他の構成は前記第１実施例と略同一である。
【００３１】
第７実施例で挿脱竿の穂先竿１６を交換する時は、閉塞部材を兼ねる竿尻キャップ３の切欠き３ｉに指の爪等を掛けて竿尻キャップ３を竿尻リング２から離脱して竿尻リング２の挿脱孔２ｊから穂先竿１６のみが挿脱される。
竿尻キャップ３の本体３ａ内側と竿尻リング２の間を連結紐等で連結して離脱後脱落して紛失しないようにしてもよい。
【産業上の利用可能性】
【００３２】
並継ぎ竿で細い予備竿を収納する釣竿に実施してもよい。
【図面の簡単な説明】
【００３３】
【図１】第１実施例で、釣竿の側面図である。
【図２】同竿尻の拡大側面図である。
【図３】同竿尻の拡大断面側面図である。
【図４】同穂先竿が一部引き出された竿尻の拡大断面側面図である。
【図５】第２実施例で、竿尻の拡大断面側面図である。
【図６】同穂先竿が一部引き出された竿尻の拡大断面側面図である。
【図７】第３実施例で、（ａ）は尻栓の竿尻リングの後面図で（ｂ）は尻栓の竿尻リングと竿尻キャップと閉塞部材の後面図である。
【図８】第４実施例で、（ａ）は尻栓の竿尻リングの後面図で（ｂ）は尻栓の竿尻リングと竿尻キャップと閉塞部材の後面図である。
【図９】第５実施例で、（ａ）は尻栓の竿尻リングの後面図で（ｂ）は尻栓の竿尻リングと竿尻キャップと閉塞部材の後面図である。
【図１０】第６実施例で、（ａ）は尻栓の竿尻リングの後面図で（ｂ）は尻栓の竿尻リングと竿尻キャップと閉塞部材の後面図である。
【図１１】第７実施例で、竿尻の拡大断面側面図である。
【符号の説明】
【００３４】
Ａ  尻栓
１  元竿（竿管）
２  竿尻リング
２ｊ、２ｋ、２ｍ、２ｎ、４ｅ、６ｃ、６ｄ、６ｅ、６ｆ、６ｈ  挿脱孔
３  竿尻キャップ
４、６、７、３  閉塞部材
１０、１１、１２、１３、１４、１５、１６  次節竿（中節竿、穂先竿）
【図１】
2005110577.tif 000003
【図２】
2005110577.tif 000004
【図３】
2005110577.tif 000005
【図４】
2005110577.tif 000006
【図５】
2005110577.tif 000007
【図６】
2005110577.tif 000008
【図７】
2005110577.tif 000009
【図８】
2005110577.tif 000010
【図９】
2005110577.tif 000011
【図１０】
2005110577.tif 000012
【図１１】
2005110577.tif 000013